Podtech/llm-jp-corpus-v4-ja_patent huggingface dataset:
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
織物静電容量センサによる生理信号発生のシステムにおいて、
少なくとも１つの導電エリアが織物に設置される少なくとも１つの織物と、１つの信号を提供する回路と、を含み、該導電織物と皮膚表層人体の間に１つの静電容量センサが形成され、織物静電容量センサに１つの電気抵抗Ｒ、コンデンサＣまたはインダクタＬ、演算増幅器、ダイオード、シュミットトリガー、またはＣＭＯＳまたはトランジスタ、またはＩＣを直列または並列接続して充放電回路を構成することによって、その周波数、周期、電圧または電流の信号範囲を改変し、人体と織物の間に圧力、引張力、ねじり力または張力を有することにより電気容量を変化させ、または人体と織物の間の誘電率が改変することにより電気容量値に変化をさせる時に、該回路が信号を発信し、システムが導電織物と人体の間の電気容量値の変化を受信し、且つ該変化が周波数、周期、電圧または電流の変化によって表現され、且つ周波数、周期、電圧または電流が変化する過程によって人体の生理、姿勢変化、人体と織物の間の媒体の変化または受けた力という情報のうちの少なくとも１つの情報を分析する、ことを特徴とする織物静電容量センサによる生理信号発生のシステム。
【請求項２】
１つのスイッチが導電織物に接続され、またはスイッチ自身が静電容量センサである、ことを特徴とする請求項１に記載の織物静電容量センサによる生理信号発生のシステム。
【請求項３】
異なる姿勢または力から異なる周波数、電圧または電流の変化曲線を測り取ることができる、ことを特徴とする請求項１に記載の織物静電容量センサによる生理信号発生のシステム。
【請求項４】
前記導電織物を少なくとも２つ有し、１つが基準導電エリアとされ、該基準導電エリアが接地され、または人体に接触される、ことを特徴とする請求項１に記載の織物静電容量センサによる生理信号発生のシステム。
【請求項５】
該システムが姿勢変化の探知に用いられるとともに、他の生理情報、例えば心臓拍動、呼吸、湿度、飲み込み、汗かき、温度、咳を測ることができる、ことを特徴とする請求項１に記載の織物静電容量センサによる生理信号発生のシステム。
【請求項６】
前記導電織物が人体に直接接触せず、導電織物と人体の間に１つの材料を隔て、例えば１層の布を隔てる、ことを特徴とする請求項１に記載の織物静電容量センサによる生理信号発生のシステム。
【請求項７】
該システムが生理変化、例えば呼吸、飲み込み、咳、汗かき、心臓拍動、脈拍または温度の探知に用いられることができる、ことを特徴とする請求項１に記載の織物静電容量センサによる生理信号発生のシステム。
【請求項８】
該システムが測位に用いられることができ、即ち、身体のどの位置に生理信号が発生しているかが分かることができる、ことを特徴とする請求項１に記載の織物静電容量センサによる生理信号発生のシステム。
【請求項９】
該システムが１つの設定された臨界圧力下でしか探知を起動できないものである、ことを特徴とする請求項１に記載の織物静電容量センサによる生理信号発生のシステム。
【請求項１０】
心臓拍動、呼吸、脳波、筋電図、心電図、体脂または汗による湿気を探知するように、該システムの導電エリアが同時に生理信号センサ、即ち電極ともされ、ＴＥＮＳを発生する治療用電極、加熱または降温用の導電織物とされることもできる、ことを特徴とする請求項１に記載の織物静電容量センサによる生理信号発生のシステム。
【請求項１１】
前記導電織物が衣服、帽子、ズボン、マスク、靴下、靴、ベッドシート、枕、手袋、ハンドル、杖、テーブル織物、椅子、絨毯、防護具、スリッパ、靴の敷革、安全ベルト、帽子に設計され、また義肢、義眼、義耳に用いられることもできる、ことを特徴とする請求項１に記載の織物静電容量センサによる生理信号発生のシステム。
【請求項１２】
該システムが発汗による湿気、傷口、汗かき、薬塗りまたは化粧品塗りによる誘電率の改変を探知することに用いられることができる、ことを特徴とする請求項１に記載の織物静電容量センサによる生理信号発生のシステム。
【請求項１３】
該システムが織物静電容量センサによって関節の角度、角速度または角加速度を探知することができる、ことを特徴とする請求項１に記載の織物静電容量センサによる生理信号発生のシステム。
【請求項１４】
該システムが織物静電容量センサによって人の位置、変位、速度、加速度、重心変化、重心速度、重心加速度または歩行距離を探知することができる、ことを特徴とする請求項１に記載の織物静電容量センサによる生理信号発生のシステム。
【請求項１５】
織物静電容量センサによる生理信号発生の方法において、
少なくとも１つの導電エリアが織物に設置される少なくとも１つの織物と、１つの信号を提供する信号発信用回路と、を含み、該導電織物と皮膚表層人体の間に１つの静電容量センサを形成することを利用し、織物静電容量センサに１つの電気抵抗Ｒ、コンデンサＣまたはインダクタＬ、演算増幅器、ダイオード、シュミットトリガー、またはＣＭＯＳまたはトランジスタ、またはＩＣを直列または並列接続して充放電回路を構成することによって、その周波数、周期、電圧または電流の信号範囲を改変し、人体と織物の間に圧力、引張力、ねじり力または張力を有することにより電気容量を変化させ、または人体と織物の間の誘電率が改変することにより電気容量値に変化をさせる時に、該回路が信号を発信し、導電織物と人体の間の電気容量値の変化を受信することによって、且つこの変化が周波数、周期、電圧または電流の変化によって表現され、この周波数、周期、電圧または電流が変化する過程によって人体の生理、姿勢変化、人体と織物の間の媒体の変化または受けた力という情報のうちの少なくとも１つの情報を分析する、ことを特徴とする織物静電容量センサによる生理信号発生の方法。
【請求項１６】
該方法が織物静電容量センサによって人体に対し足取り分析を行い、または足取り安定度、転がり、変位又は睡眠活動を探知することができる、ことを特徴とする請求項１５に記載の織物静電容量センサによる生理信号発生の方法。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
ポリヌクレオチドプローブであって、高リスクＨＰＶ核酸のＬ１、Ｌ２、Ｅ１、Ｅ２、Ｅ４、Ｅ６及びＥ７の各々の少なくとも１００個の連続塩基に対して７０％〜１００％の相補性を有する少なくとも１つの配列を含み、低リスクＨＰＶ核酸と交差反応しない、ポリヌクレオチドプローブ。
【請求項２】
低リスクＨＰＶ核酸の少なくとも１００個の連続塩基に対して約７０％〜１００％の相補性を有する少なくとも１００個の連続塩基の任意の配列を含有しないことを条件とする、請求項１に記載のポリヌクレオチドプローブ。
【請求項３】
低リスクＨＰＶ核酸が、配列番号１８〜配列番号４３及びそれらの相補体からなる群から選択される、請求項１又は２に記載のポリヌクレオチドプローブ。
【請求項４】
高リスクＨＰＶ核酸が、配列番号１〜配列番号１７、配列番号１０４〜配列番号１１０、配列番号１１６及びそれらの相補体からなる群から選択される、請求項１〜３のいずれか一に記載のポリヌクレオチドプローブ。
【請求項５】
配列番号４４〜配列番号５７、配列番号１１１〜配列番号１１５及びそれらの相補体に対して約７０％〜１００％の同一性を有する任意の配列を含まない、請求項１〜４のいずれか一に記載のポリヌクレオチドプローブ。
【請求項６】
配列番号９７〜配列番号１０３、配列番号１１７及びそれらの相補体からなる群から選択される配列に対して約７０％〜１００％の同一性を有する配列を含む、請求項１〜５のいずれか一に記載のポリヌクレオチドプローブ。
【請求項７】
配列番号９７〜配列番号１０３、配列番号１１７及びそれらの相補体からなる群から選択される配列から本質的になる、請求項１〜６のいずれか一に記載のポリヌクレオチドプローブ。
【請求項８】
配列番号９７〜配列番号１０３、配列番号１１７及びそれらの相補体からなる群から選択される配列からなる、請求項１〜７のいずれか一項に記載のポリヌクレオチドプローブ。
【請求項９】
高リスクＨＰＶ核酸に特異的なポリヌクレオチドプローブを生成する方法であって、
ａ）該高リスクＨＰＶ核酸の少なくとも一部分と約７０％〜１００％の同一性を有する、少なくとも１キロベース長の配列を含む鋳型核酸を準備することと、
ｂ）該鋳型核酸の配列を少なくとも１つの低リスク核酸と比較することと、
ｃ）該鋳型核酸を切断して、該低リスクＨＰＶ核酸の領域と１００個の連続塩基対にわたって約７０％〜１００％の同一性を有する、該鋳型核酸の任意の領域を除去する、切断することと、
を含む、高リスクＨＰＶ核酸に特異的なポリヌクレオチドプローブを生成する方法。
【請求項１０】
鋳型核酸を、欠失プライマーを用いて該鋳型核酸を増幅することによって切断する、請求項９に記載の方法。
【請求項１１】
鋳型核酸を、該鋳型核酸を増幅する前にメチル化する、請求項１０に記載の方法。
【請求項１２】
メチル化された鋳型核酸を選択的に消化する、請求項１１に記載の方法。
【請求項１３】
請求項９〜１２のいずれか一に記載の方法に従って生成されるポリヌクレオチドプローブ。
【請求項１４】
請求項１〜８及び請求項１２〜１３のいずれか一に記載のポリヌクレオチドプローブを断片化することによって生成される核酸プローブセット。
【請求項１５】
請求項１〜８及び請求項１２〜１３のいずれか一に記載の少なくとも一つのポリヌクレオチドプローブを含む核酸プローブセット及び/又は請求項１４に記載の核酸プローブセットを含むキット。
【請求項１６】
サンプル中の標的核酸の存在を決定する方法であって、
ａ）請求項１〜８及び１３のいずれか一項に記載の少なくとも１つのポリヌクレオチドプローブを標的核酸分子とハイブリダイズさせ、二本鎖核酸ハイブリッドを形成する、ポリヌクレオチドプローブをハイブリダイズさせることと、
ｂ）該二本鎖核酸ハイブリッドを、二本鎖核酸ハイブリッドに特異的な第１の抗体を含む支持体上に捕捉させることと、
ｃ）該標的核酸分子を検出することと、
を含む、サンプル中の標的核酸の存在を決定する方法。
【請求項１７】
二本鎖核酸ハイブリッドがＤＮＡ：ＲＮＡハイブリッドである、請求項１６に記載の方法。
【請求項１８】
標的核酸が高リスクＨＰＶ核酸である、請求項１６又は１７に記載の方法。
【請求項１９】
サンプルが生物学的サンプルである、請求項１６〜１８のいずれか一に記載の方法。
【手続補正書】
【提出日】平成26年6月4日(2014.6.4)
【手続補正１】
【補正対象書類名】明細書
【補正対象項目名】００１２
【補正方法】変更
【補正の内容】
【００１２】
本発明の一般的かつ主要な目的は、水と化学的に反応して分子状水素を容器中に発生することができる活性物質を含む新規な閉鎖キャップを提案することである。
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
航空機に荷物を積み降ろしするためのコンベア装置であって、
航空機の外側の領域から前記航空機の貨物室の入口まで物品を運ぶ第１コンベアと、前記第１コンベアの端から前記貨物室内に物品を運ぶ第２コンベアとを有し、
前記第２コンベアは前記第１コンベアからテレスコープ式に伸張可能であり、
前記第２コンベアは、前記第１コンベアの近傍の前記第２コンベアの後端と、前記第２コンベアの末端にある前記第２セグメントのヘッド端との間に伸びるフレキシブルな無端状部材と、前記フレキシブルな無誕状部材を駆動して前記第２コンベアに沿って物品を搬送する駆動手段とを備えている、コンベア装置。
【請求項２】
前記駆動手段は、前記第２コンベアの少なくとも一方の端部に設けられている、請求項１のコンベア装置。
【請求項３】
前記駆動手段は、前記コンベア装置の少なくともともヘッド端部に設けられている、請求項２のコンベア装置。
【請求項４】
前記コンベアを第１の方向に駆動するために、第１駆動手段が前記第２コンベアの前記ヘッド端に設けられ、
前記コンベアを前記第１の方向とは反対の第２の方向に駆動するために、前記第２コンベアの後端に別の駆動手段が設けられている、請求項１〜３のいずれかのコンベア装置。
【請求項５】
前記無誕状部材が、前記第２コンベアのそれぞれのヘッド端と後端に設けられたスプロケット又はプーリの間に伸びる駆動用のチェーン、ベルト又はバンドを有する請求項１〜４のいずれかのコンベア装置。
【請求項６】
前記無端状部材が、前記コンベアセグメントのそれぞれの連結手段に一致する前記第２コンベアの中心軸に沿って伸びている、請求項５のコンベア装置。
【請求項７】
前記無端状部材の経路を案内するために前記第２コンベアの各セグメントにガイド手段が設けられている、請求項５又は６のコンベア装置。
【請求項８】
前記コンベアセグメントに沿って移動される前記無端状部材に複数のコンベアフライトが設けられており、
各コンベアフライトは、搬送面をそれぞれの部分を形成する、前記無端状部材に連結された中央部と、前記無端状部材から横方向に伸びる両側の一対の側方翼部を有する、請求項１〜７のいずれかのコンベア装置。
【請求項９】
前記側方翼部は、前記中央部から該翼部の末端に向けてテーパが付けられており、コンベアセグメントが互いに側方に回転するようにしてある、請求項８のコンベア装置。
【請求項１０】
各コンベアセグメントは、前記無端状部材に係合するスプロケットなどの駆動部材を有し、
前記駆動部材によって、少なくとも一つのローラ又は車輪が、前記第２コンベアに沿って物品を搬送するために前記第２コンベアの横方向に伸びる軸の周りで回転駆動される、請求項１〜９のいずれかのコンベア装置。
【請求項１１】
各コンベアセグメントは、少なくとも一つの地面に接触する支持用車輪又はローラを下部に備えている、請求項１〜１０のいずれかのコンベア装置。
【請求項１２】
航空機に荷物を積み降ろしするためのコンベア装置であって、
航空機の外側の領域から前記航空機の貨物室の入口まで物品を運ぶ第１コンベアと、前記第１コンベアの端から前記貨物室内に物品を運ぶ第２コンベアとを有し、
前記第２コンベアは前記第１コンベアからテレスコープ式に伸張可能であり、
前記第２コンベアは、複数の連結手段によって互いに側方に回転して調整可能な搬送経路を形成するように相互に連結された複数のコンベアセグメントを有し、
前記第２コンベアは、物品を搬送する一つの搬送手段が設けられている、コンベア装置。
【請求項１３】
前記搬送手段は、無端状のベルト又はチェーンを有する、請求項１２のコンベア装置。
【請求項１４】
搬送面を形成するために、前記無端状のベルト又はチェーンに複数のコンベアフライトが設けられている、請求項１３のコンベア装置。
【手続補正２】
【補正対象書類名】明細書
【補正対象項目名】００１６
【補正方法】変更
【補正の内容】
【００１６】
【図１】図１は、本発明の第１実施例に係るコンベア装置の側面図である。
【図２】図２は、図１のコンベア装置のヘッド端部の詳細な斜視図である。
【図３】図３は、図１のコンベア装置の一部を通る長手方向の断面図である。
【図４】図４は、図１のコンベア装置のヘッド部を通る長手方向の断面図である。
【図５】図５は、図１のコンベア装置の第２コンベアを通る横断面図である。
【図６】図６は、本発明の第２実施例に係るコンベア装置の第２コンベアを通る長手方向の断面図である。
【図７】図７は、別の実施例に係る第２コンベアの斜視図である。
【図８】図８は、図７のコンベア装置の第２コンベアを通る横断面図である。
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
眼の網膜を撮像する装置であって、
点から発せられる平面状の光を生成可能な光源を含むことで、前記網膜上の周線を照明可能である照明デバイスと、
支持構造と、
前記網膜の少なくとも１次元の画像を生成するために前記網膜からの反射光を検出する１つ又は複数の検出器と、
を備え、
前記照明デバイスは、前記支持構造に枢動自在に取り付け可能であり、且つ実質的に前記平面上にある軸線の周りを回転可能であることで、使用時に前記照明デバイスを前記軸線の周りで回転させて前記周線を移動させることにより前記網膜の２次元画像を得る装置。
【請求項２】
請求項１に記載の装置において、前記照明デバイスは、前記眼の前記網膜にわたって１次元でコリメート光を走査することにより前記網膜上の前記周線を照明するよう構成される装置。
【請求項３】
請求項２に記載の装置において、前記照明デバイスの回転軸線は、前記照明デバイスが生成する１次元走査により画定される平面上にある装置。
【請求項４】
請求項２又は３に記載の装置において、前記照明デバイスは、
コリメート光源と、
走査要素と
を備え、
前記コリメート光源及び前記走査要素は、前記点からの１次元コリメート光走査を行うよう組み合わさり、
前記照明デバイスは、走査伝達デバイスをさらに備え、
該走査伝達デバイスは、２つの焦点を有し、
前記点は、前記走査伝達デバイスの第１焦点に設けられ、
前記走査伝達デバイスは、前記眼の瞳孔点が、前記走査伝達デバイスの第２焦点で調節されるように位置付けされ、
前記走査伝達デバイスは、前記点から発せられる前記１次元コリメート光走査を眼に伝達する装置。
【請求項５】
請求項４に記載の装置において、前記走査要素は、振動機構、振動鏡、共振スキャナ、共振走査鏡、及び微小電子機械システム（ＭＥＭＳ）走査要素から成る群の１つである装置。
【請求項６】
請求項１に記載の装置において、前記照明デバイスは、
光源と、
光操作要素と、
を備え、
前記光源及び前記光操作要素は、複数の光ビームを提供して前記点から平面状に発せられる前記光を形成するよう組み合わさり、
前記照明デバイスは、走査伝達デバイスをさらに備え、
該走査伝達デバイスは、２つの焦点を有し、
前記点は、前記走査伝達デバイスの第１焦点に設けられ、
前記走査伝達デバイスは、前記眼の前記瞳孔点が、前記走査伝達デバイスの第２焦点で調節されるように、位置付けされ、
前記走査伝達デバイスは、前記点から発せられる前記複数の光ビームを前記眼に伝達する装置。
【請求項７】
請求項６に記載の装置において、前記照明デバイスは、線発生要素に光を通過させることにより前記光源からの前記光を操作する装置。
【請求項８】
請求項７に記載の装置において、前記線発生要素は、シリンドリカルレンズ、トロイダルレンズ、及び屈折率分布型レンズから成る群の１つである装置。
【請求項９】
請求項６〜８のいずれか１項に記載の装置において、前記照明デバイスの前記回転軸線は、前記照明デバイスが生成する前記複数の光ビームにより画定される平面上にある装置。
【請求項１０】
請求項１〜９のいずれか１項に記載の装置において、前記照明デバイスは、前記網膜の２次元部分を照明可能である装置。
【請求項１１】
請求項１０に記載の装置において、
前記照明デバイスは、コリメート光源と走査要素とを有しており、
前記走査要素は２次元微小電子機械（ＭＥＭＳ）走査要素である装置。
【請求項１２】
請求項１〜１１のいずれか１項に記載の装置において、前記光源は異なる波長の１つ又は複数の光源を含む装置。
【請求項１３】
請求項１〜１２のいずれか１項に記載の装置において、前記光源は、前記照明デバイスと共に回転するよう該照明デバイスと共に位置付けられる装置。
【請求項１４】
請求項１〜１３のいずれか１項に記載の装置において、前記光源は、前記照明デバイスから離れて位置付けられており、前記光が該照明デバイスに伝送される装置。
【請求項１５】
請求項１〜１４のいずれか１項に記載の装置において、前記１つ又は複数の検出器は、前記照明デバイスと共に回転するよう該照明デバイスと共に位置付けられる装置。
【請求項１６】
請求項１〜１５のいずれか１項に記載の装置において、前記光源は、網膜の治療に適した波長及びパワーの光を生成するように動作可能である装置。
【請求項１７】
眼の網膜を撮像する方法であって、
請求項１〜１６のいずれか１項に記載の撮像装置を与えるステップと、
前記網膜の複数の少なくとも１次元の画像を取得するよう前記照明デバイスを前記軸線の周りで回転させるステップと、
前記網膜の２次元画像を取得するよう前記複数の少なくとも１次元の画像を合成するステップと
を含む方法。
【手続補正書】
【提出日】平成25年12月20日(2013.12.20)
【手続補正１】
【補正対象書類名】明細書
【補正対象項目名】０１４８
【補正方法】変更
【補正の内容】
【０１４８】
前方プライマー(Forward Primer)：５’−ＧＧＡＡＴＴＣＣＡＴＡＴＧＧＴＧＡＧＣＡＡＧＧＧＣＧＡＧＧＡ−３’（配列番号１）
【手続補正２】
【補正対象書類名】明細書
【補正対象項目名】０１４９
【補正方法】変更
【補正の内容】
【０１４９】
後方プライマー(Reverse Primer)：５’−ＡＣＧＣＧＴＣＧＡＣＴＴＡＣＴＴＧＴＡＣＡＣＣＴＣＧＴＣＣＡＴ−３’（配列番号２）
【手続補正３】
【補正対象書類名】明細書
【補正対象項目名】０１５５
【補正方法】変更
【補正の内容】
【０１５５】
前方プライマー：５’−ＧＧＡＡＴＴＣＣＡＴＡＴＧＧＧＴＧＡＧＣＡＡＧＧＧＣＧＡＧＧＡ−３’（配列番号３）
【手続補正４】
【補正対象書類名】明細書
【補正対象項目名】０１５６
【補正方法】変更
【補正の内容】
【０１５６】
後方プライマー：５’−ＡＧＧＣＧＴＣＧＡＣＴＴＡＣＴＴＧＴＡＣＡＧＣＴＣＧＴＣＣＡＴ−３’（配列番号４）
（下線は制限酵素ＮｄｅＩとＳａｌＩの認識配列を意味する）
【手続補正５】
【補正対象書類名】明細書
【補正対象項目名】０１９１
【補正方法】変更
【補正の内容】
【０１９１】
前方プライマー：５’−ＧＧＡＡＴＴＣＣＡＴＡＴＧＣＣＣＣＡＡＧＡＡＧＡＣ−３’（配列番号５）
【手続補正６】
【補正対象書類名】明細書
【補正対象項目名】０１９２
【補正方法】変更
【補正の内容】
【０１９２】
後方プライマー：５’−ＡＧＧＣＧＴＣＧＡＣＴＣＡＧＧＧＴＧＡＡＴＡＡＧＧ−３’（配列番号６）
（下線は制限酵素ＮｄｅＩとＳａｌＩの認識配列を意味する）
【手続補正７】
【補正対象書類名】明細書
【補正対象項目名】０２０２
【補正方法】変更
【補正の内容】
【０２０２】
前方プライマー：５’−ＣＡＴＡＴＧＡＡＧＡＡＡＡＴＣＧＣＡＡＴＡＧＣＡＧ−３’（配列番号７）
【手続補正８】
【補正対象書類名】明細書
【補正対象項目名】０２０３
【補正方法】変更
【補正の内容】
【０２０３】
後方プライマー：５’−ＴＣＴＡＧＡＴＴＴＡＧＡＡＴＴＧＣＴＴＧＡＡＧＡＴＧＡＡＧ−３’（配列番号８）
（下線は制限酵素ＮｄｅＩとＸｂａＩの認識配列を意味する）
【手続補正９】
【補正対象書類名】明細書
【補正対象項目名】０２０６
【補正方法】変更
【補正の内容】
【０２０６】
前方プライマー：５’−ＧＣＴＣＴＡＧＡＡＡＴＡＣＴＧＡＣＴＣＴＧＡＡＴＧＴＣＣＣ−３’（配列番号９）
【手続補正１０】
【補正対象書類名】明細書
【補正対象項目名】０２０７
【補正方法】変更
【補正の内容】
【０２０７】
後方プライマー：５’−ＣＡＡＧＣＴＴＴＣＡＧＣＧＣＡＧＴＴＣＣＣＡＣＣＡＣＴＴＣ−３’（配列番号１０）
（下線は制限酵素ＸｂａＩとＨｉｎｄＩＩの認識配列を意味する）
【手続補正１１】
【補正対象書類名】明細書
【補正対象項目名】０２４１
【補正方法】変更
【補正の内容】
【０２４１】
前方プライマー：５’−ＧＣＣＴＣＴＡＧＡＣＴＧＧＡＧＧＡＡＡＡＧＡＡＡＧＴＴＴＧＣ−３’（配列番号１１）
【手続補正１２】
【補正対象書類名】明細書
【補正対象項目名】０２４２
【補正方法】変更
【補正の内容】
【０２４２】
後方プライマー：５’−ＣＣＡＡＧＣＴＴＣＡＧＧＡＣＧＧＧＡＴＣＴＴＡＧＧＣ−３’（配列番号１２）
（下線は制限酵素ＸｂａＩとＨｉｎｄＩＩの認識配列を意味する）
【手続補正書】
【提出日】平成26年6月19日(2014.6.19)
【手続補正１】
【補正対象書類名】特許請求の範囲
【補正対象項目名】全文
【補正方法】変更
【補正の内容】
【特許請求の範囲】
【請求項１】
動脈内の狭窄の存在により患者の動脈内の血流が制限されるか否かを決定する診断方法に使用されるキットであって、
患者の動脈内または静脈内へ充血剤を注入するように構成されたカテーテルと、
前記充血剤として規定された量のウリジン三リン酸と、
を含んでなることを特徴とするキット。
【請求項２】
ガイドカテーテルを更に含み、当該ガイドカテーテルを通して患者に注入カテーテルを挿入するように前記ガイドカテーテルが構成されていることを特徴とする、請求項１に記載のキット。
【請求項３】
前記カテーテルは、動脈内に配置され、注入ルーメンを含む一または二以上のルーメンを備える複合カテーテルであって、
前記動脈内に前記ウリジン三リン酸を放出するように遠位端に配置された開口部と、遠位端を有するガイドワイヤと、当該ガイドワイヤの遠位端に搭載された第一流量／圧力センサと、を備え、
前記ガイドワイヤは前記一または二以上のルーメンのうちのひとつの中を可動な状態で挿入されていることを特徴とする、請求項１又は２に記載のキット。
【請求項４】
前記複合カテーテルが、互いに隣り合う少なくとも二つの前記ルーメンを備え、
前記流量／圧力センサを備える前記ガイドワイヤが前記注入ルーメンとは異なるルーメン内に配置されていることを特徴とする、請求項１〜３のいずれか一項に記載のキット。
【請求項５】
第二圧力センサを備え、当該第二圧力センサが患者の動脈への挿入に適合された前記ガイドカテーテルに接続されていることを特徴とする、請求項２又は３に記載のキット。
【請求項６】
第二圧力センサを備え、当該第二圧力センサが、前記第一圧力センサとの関係で、前記ガイドワイヤの近位に配置されていることを特徴とする、請求項１〜４のいずれか一項に記載のキット。
【請求項７】
前記第一圧力センサの近位となるように前記カテーテルに配置されたバルーンを更に含んでなることを特徴とする、請求項１〜６のいずれか一項に記載のキット。
【請求項８】
前記カテーテルが、当該カテーテルの長手方向に前記ウリジン三リン酸を注入するように構成されていることを特徴とする、請求項１〜７のいずれか一項に記載のキット。
【請求項９】
注入ポンプを更に含んでなることを特徴とする、請求項１〜８のいずれか一項に記載のキット。
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
吸気弁（１１０）、呼気弁（１３０）及び制御ユニット（１０５）を有する呼吸装置（１）であって、前記制御ユニットは患者が前記呼吸装置に接続されたときに前記患者における肺圧差を決定するように構成され、前記制御ユニットは、
前記吸気弁（１１０）及び前記呼気弁（１３０）を制御することによって第１の呼気終末陽圧（ＰＥＥＰ）レベルで前記患者を換気するための第１モードの動作に前記呼吸装置を設定することと、
前記吸気弁（１１０）及び前記呼気弁（１３０）を制御することによって、前記第１のＰＥＥＰレベルから始まる第２のＰＥＥＰレベルであって前記第１のＰＥＥＰレベルとは異なる目標ＰＥＥＰレベルに基づく第２のＰＥＥＰレベルで前記患者を換気するための第２モードの動作に前記呼吸装置を設定することとが可能であり、
前記制御ユニットは、吸気流量トランスデューサ（１１２）及び呼気流量トランスデューサ（１３２）からの測定値に基づく等して前記第１のＰＥＥＰレベル及び前記第２のＰＥＥＰレベルでの呼気終末肺容量（ＥＥＬＶ）の差から呼気終末肺容量の変化（ΔＥＥＬＶ）を決定し、
呼気終末肺容量の前記変化（ΔＥＥＬＶ）と呼気圧センサ（１３３）により測定される等した前記第１のＰＥＥＰレベル及び前記第２のＰＥＥＰレベルの差（ΔＰＥＥＰ）とに基づき前記肺圧差（Ｐｔｈ）を決定するように構成されていることを特徴とする呼吸装置。
【請求項２】
前記制御ユニットは、平衡が確立されるような前記目標ＰＥＥＰレベルの所定の圧力範囲内に前記第２のＰＥＥＰレベルが達したときに前記肺圧差を決定するように動作する請求項１に記載の装置。
【請求項３】
当該第１の圧力は環境気圧であり且つ当該第２の圧力は前記第１の圧力よりも高く、又は
前記第１の圧力は環境気圧よりも高く且つ前記第２の圧力は前記第１の圧力よりも高く、又は
前記第１の圧力は環境気圧よりも高く且つ前記第２の圧力は前記第１の圧力よりも低い請求項１又は２に記載の装置。
【請求項４】
前記第２モードの動作に前記呼吸装置を設定することは前記呼吸装置のユーザインタフェースから選択可能であり、前記制御ユニットは当該ユーザ開始に際して前記肺圧差を自動的に決定するように構成され、当該自動的決定は前記装置による前記患者の支援された且つ／又は制御された換気の間になされる請求項１〜３のいずれかに記載の装置。
【請求項５】
前記制御ユニットは前記Ｐｔｐの決定の後に前記第１のＰＥＥＰレベルで支援され制御された換気のＰＥＥＰレベルで前記第１モードの動作に戻るように構成されている請求項１〜４のいずれかに記載の装置。
【請求項６】
前記制御ユニットは、段階的に得られたΔＥＥＬＶの合計（ΣΔＥＥＬＶ）が前記第１のＰＥＥＰレベルでの１回換気量に実質的に等しくなるまでＰＥＥＰを段階的に前記第１のＰＥＥＰレベルから増大させるように構成されている請求項１〜５のいずれかに記載の装置。
【請求項７】
前記制御ユニットは、前記第１及び第２のＰＥＥＰレベルの初期の差よりも小さいＰＥＥＰレベル変化を繰り返すことにより及び／又は全コンプライアンス（ＣＴＯＴ）若しくは肺コンプライアンス（ＣＬ）の偏向点若しくは変曲点を検出するために１回換気量を減少させることにより、非線形肺コンプライアンス（ＣＬ）及び／又は胸壁コンプライアンス（ＣＣＷ）を決定するように構成されている請求項１〜６のいずれかに記載の装置。
【請求項８】
前記制御ユニットは、肺を損傷から保護するための第１のスレッショルド値を下回る肺圧差が検出されたときに、前記装置により前記患者に提供される機械的換気におけるＰＥＥＰをより低いレベルに制限することによって、前記決定された肺圧差に基づくＰＥＥＰレベルを調節するように更に動作する請求項１〜７のいずれかに記載の装置。
【請求項９】
コンピュータにより処理するためのコンピュータプログラムが記録されたコンピュータ可読媒体であって、前記コンピュータプログラムは呼吸装置に接続された患者における肺圧差（Ｐｔｐ）を決定するための複数のコードセグメントを備え、前記複数のコードセグメントは、
第１の呼気終末陽圧（ＰＥＥＰ）レベルを確立するための第１のコードセグメント（３３）と、
目標ＰＥＥＰレベルを前記第１のＰＥＥＰレベルから前記第１のＰＥＥＰレベルとは異なる第２のＰＥＥＰレベルへ変化させるための第２のコードセグメント（３４）と、前記第１のＰＥＥＰレベルから始まる前記第２のＰＥＥＰレベルを確立するための第３のコードセグメント（３５）と、
前記第１のＰＥＥＰレベル及び前記第２のＰＥＥＰレベルでの呼気終末肺容量（ＥＥＬＶ）の差から呼気終末肺容量の変化（ΔＥＥＬＶ）を決定するための第４のコードセグメント（３６）と、
呼気終末肺容量の前記変化（ΔＥＥＬＶ）と前記第１のＰＥＥＰレベル及び前記第２のＰＥＥＰレベルの差（ΔＰＥＥＰ）とに基づいて前記肺圧差（Ｐｔｐ）を決定するための第５のコードセグメント（３７）と、を備えるコンピュータ可読媒体。
【手続補正書】
【提出日】平成26年6月24日(2014.6.24)
【手続補正１】
【補正対象書類名】特許請求の範囲
【補正対象項目名】請求項７
【補正方法】変更
【補正の内容】
【請求項７】
前記バランスドアーマチャモータ組付体は、
可撓性リードと、
上部磁石及び下部磁石を包含する磁極片と、
アーマチャと、
コイルに囲まれるボビンと、
前記ボビンに取り付けられる可撓性基板と、
ドライブピンと
をさらに含み、
前記ドライブピンは、前記リードと前記パドルの間に動作可能に接続される、請求項６に記載のイヤホン組付体。
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
医療手順を実行するシステムであって、
近接部位と遠方端を有する遠方部位とを備える少なくとも一つのツールと、
前記少なくとも一つのツールの前記遠方部位を支持するように構成され且つ配置された少なくとも一つの放射方向に延在しているサイドローブを含むツールサポートと、
オペレータ入力に基づいて制御信号を生成するように構成され且つ配置されたヒューマンインターフェース装置と、
前記制御信号を受領し、前記受領した制御信号に基づいて前記ツールサポートを操作するように構成され且つ配置されたコントローラと、
を備える、システム。
【請求項２】
前記ツールサポートが高く関節結合されたプローブを備えており、これが、
第１の複数のリンクを備えた外側スリーブと、
第２の複数のリンクを備えた内側コアと、
前記内側コアの前記複数のリンク又は前記外側スリーブの前記複数のリンクのいずれかを通って延在する第１のケーブルと、前記内側コアの前記複数のリンク又は前記外側スリーブの前記複数のリンクの他方を通っている複数のケーブルと、
を備えている、請求項１に記載のシステム。
【請求項３】
前記内側コア及び前記外側スリーブの各々を柔軟モードと堅固モードとの間で交互にして、前記内側コア及び前記外側スリーブを前進及び収縮させて、且つ前記内側コア及び外側スリーブの少なくとも一つを操縦するフィーダーアセンブリをさらに備えている、請求項２に記載のシステム。
【請求項４】
前記ツールサポートが、制御可能に堅固で且つフレキシブルである部分を少なくとも備える高く関節結合されたプローブを備えている、請求項１から３のいずれか一つに記載のシステム。
【請求項５】
前記少なくとも一つの放射方向に延在しているサイドローブは、各々が、前記少なくとも一つのツールの前記遠方部位を支持するように構成され、配置される複数のサイドローブを含む、請求項１から４のいずれか一つに記載のシステム。
【請求項６】
前記少なくとも一つの放射方向に延在しているサイドローブが前記外側スリーブの複数のリンクの少なくとも一つのリンクに回転可能に取り付けられている、請求項２または３に記載のシステム。
【請求項７】
前記少なくとも一つの放射方向に延在しているサイドローブが前記外側スリーブの複数のリンクの少なくとも一つのリンクに取り外し可能に取り付けられている、請求項２，３，６のいずれか１項に記載のシステム。
【請求項８】
前記ツールサポートをスライド的に受けるように構成され、配置された少なくとも一つのガイドチューブをさらに備えている、請求項１から７のいずれか一つに記載のシステム。
【請求項９】
前記ツールサポートが遠方部位を備えており、前記少なくとも一つのガイドチューブが前記遠方部位に取り付けられている、請求項８に記載のシステム。
【請求項１０】
前記少なくとも一つのガイドチューブが取り外し可能に前記遠方部位に取り付けられている、請求項９に記載のシステム。
【請求項１１】
ツールサポート導入器をさらに備えており、前記少なくとも一つのガイドチューブが前記ツールサポート導入器に取り付けられている、請求項８から１０のいずれか一つに記載のシステム。
【請求項１２】
前記少なくとも一つのガイドチューブが取り外し可能に前記ツールサポート導入器に取り付けられている、請求項１１に記載のシステム。
【請求項１３】
前記少なくとも一つのガイドチューブが、フレキシブルな部位と剛性部位の少なくとも一つ、または、回転可能な結合部位を備えている、請求項８〜１２のいずれか一つに記載のシステム。
【請求項１４】
前記少なくとも一つのガイドチューブが、ファンネル形状の開口を備えている、請求項８から１３のいずれか一つに記載のシステム。
【請求項１５】
前記少なくとも一つのガイドチューブが、第１ガイドチューブを含み、前記少なくとも一つのツールは、第１ツールを含み、前記システムは、さらに、第二ツールと前記第二ツールをスライド的に受けるように構成され、配置された第二ガイドチューブと、を含む、請求項請求項８から１４のいずれか一つに記載のシステム。
【請求項１６】
前記コントローラがケーブル張力印加アセンブリを備えている、請求項１から１５のいずれか一つに記載のシステム。
【請求項１７】
前記少なくとも一つのツールの遠方部位が機能性素子を備えており、
前記機能性素子が、グラスパ、カッタ、アブレータ、焼灼子、薬送達素子、放射源、ＥＫＧ電極、圧力センサ又は血液センサのようなセンサ、磁石、加熱素子、低温素子、及びそれらの組み合わせからなるグループから選択されている、請求項１から１６のいずれか一つに記載のシステム。
【請求項１８】
前記少なくとも一つの近接部位に取り付けられるように構成され且つ配置されたツールホルダをさらに備えている、請求項１から１７のいずれか一つに記載のシステム。
【請求項１９】
前記ツールサポートをスライド的に受けるように構成され且つ配置されたチューブを備えたツールサポート導入器をさらに備えている、請求項１から１８のいずれか一つに記載のシステム。
【請求項２０】
前記ツールサポート導入器が食道への挿入用に構成され且つ配置されている、請求項１９に記載のシステム。
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
細胞培養から得られた液体中のプロテアーゼを不活性化するための方法であって：
（ａ）該液体のｐＨを３〜５に調整する工程、および次に
（ｂ）該液体のｐＨを７〜９に調整する工程
を含む方法。
【請求項２】
細胞培養から得られた液体中のタンパク質の分解を減少させるための方法であって、
（ａ）該液体のｐＨを３〜５に調整する工程、および次に
（ｂ）該液体のｐＨを７〜９に調整する工程
を含む方法。
【請求項３】
工程（ａ）でのｐＨが、３．５〜４．５の範囲であることを特徴とする、請求項１または２記載の方法。
【請求項４】
工程（ａ）でのｐＨが、５分〜３０分間維持されることを特徴とする、請求項１〜３のいずれか一項記載の方法。
【請求項５】
工程（ａ）でのｐＨが、２０〜３０℃の温度で行われることを特徴とする、請求項１〜４のいずれか一項記載の方法。
【請求項６】
工程（ｂ）でのｐＨが、７．４〜８．５の範囲であることを特徴とする、請求項１〜５のいずれか一項記載の方法。
【請求項７】
工程（ｂ）でのｐＨが、５分〜６０分間維持されることを特徴とする、請求項１〜６のいずれか一項記載の方法。
【請求項８】
工程（ｂ）でのｐＨが、２０〜３０℃の温度で行われることを特徴とする、請求項１〜７のいずれか一項記載の方法。
【請求項９】
液体が、哺乳動物細胞培養由来の液体であることを特徴とする、請求項１〜８のいずれか一項記載の方法。
【請求項１０】
液体が、哺乳動物細胞培養由来の無細胞液体であることを特徴とする、請求項９記載の方法。
【手続補正書】
【提出日】平成26年2月26日(2014.2.26)
【手続補正１】
【補正対象書類名】特許請求の範囲
【補正対象項目名】全文
【補正方法】変更
【補正の内容】
【特許請求の範囲】
【請求項１】
(a)界面活性剤、宿主細胞、水性媒体、該宿主細胞によって産生された生物有機化合物、及びそこから形成される水中油型エマルションを含む組成物を提供する工程であって、該水性媒体中の該界面活性剤の溶解度が、温度上昇と共に低下し、該組成物の温度が、該組成物の相反転温度よりも少なくとも約1℃低い、前記工程；
(b)該水中油型エマルションの温度を、該相反転温度よりも少なくとも約1℃高い温度まで上昇させ、それによって、該水中油型エマルションを油中水型エマルションに変換する工程；及び
(c)該組成物の液液分離を行って粗生物有機組成物を提供する工程を含む、方法。
【請求項２】
前記組成物が、水中油型エマルションである、請求項1記載の方法。
【請求項３】
前記工程(b)の前に前記組成物の量を減少させる工程であって、前記生物有機化合物の実質的に全てが該組成物中に残留する、前記工程をさらに含む、請求項1又は2記載の方法。
【請求項４】
前記組成物の量を、約75％以上減少させる、請求項3記載の方法。
【請求項５】
前記工程(a)における前記温度が、前記相反転温度よりも少なくとも約5℃又は少なくとも約10℃低く、前記工程(b)における前記温度が、前記相反転温度よりも少なくとも約5℃又は少なくとも約10℃又は少なくとも約15℃高い温度まで上昇させる、請求項1〜4のいずれか1項記載の方法。
【請求項６】
前記粗生物有機組成物を精製して精製生物有機組成物を得る工程をさらに含む、請求項1〜5のいずれか1項記載の方法。
【請求項７】
前記粗生物有機組成物の精製が、フラッシュ蒸留によるものである、請求項6記載の方法。
【請求項８】
前記精製生物有機組成物を酸化防止剤又はフェノール系酸化防止剤で処理する工程をさらに含む、請求項6記載の方法。
【請求項９】
界面活性剤、宿主細胞、水性媒体、及び該宿主細胞によって産生された生物有機化合物を含む組成物であって、該水性媒体中の該界面活性剤の溶解度が、温度上昇と共に低下し、該組成物の温度が、該組成物の相反転温度よりも少なくとも約1℃高く、該生物有機化合物が、イソプレノイドである、前記組成物。
【請求項１０】
前記界面活性剤が非イオン性界面活性剤を含むか、又は前記界面活性剤がポリエーテルポリオール、ポリオキシエチレンC8-20-アルキルエーテル、ポリオキシエチレンC8-20-アルキルアリールエーテル、ポリオキシエチレンC8-20-アルキルアミン、ポリオキシエチレンC8-20-アルケニルエーテル、ポリオキシエチレンC8-20-アルケニルアミン、ポリエチレングリコールアルキルエーテル、又はこれらの組み合わせ；或いはポリエーテルポリオール、ポリオキシエチレンノニルフェニルエーテル、ポリオキシエチレンドデシルフェニルエーテル、又はこれらの組み合わせを含む、請求項9記載の組成物又は請求項1〜8のいずれか1項記載の方法。
【請求項１１】
前記組成物の温度が、前記相反転温度よりも少なくとも約5℃、少なくとも約10℃、又は少なくとも約15℃高い、請求項9〜10のいずれか1項記載の組成物。
【請求項１２】
前記生物有機化合物が、炭化水素、又はイソプレノイド、又はファルネセンであり、かつ該ファルネセンが、α-ファルネセン、β-ファルネセン、又はこれらの組み合わせである、請求項9〜10のいずれか1項記載の組成物又は請求項1〜8のいずれか1項記載の方法。
【請求項１３】
前記宿主細胞が、細菌、真菌、藻、又はこれらの組み合わせである、請求項9〜12のいずれか1項記載の組成物又は請求項1〜8のいずれか1項記載の方法。
【請求項１４】
前記宿主細胞が、エシェリキア属、バシラス属、ラクトバシラス属、クリベロミセス属、ピチア属、サッカロミセス属、ヤロウイア属、サッカロミセス・セレビシエ、クロレラ・ミヌティッシマ、クロレラ・エマゾーニ、クロレラ・ソロキニアナ、クロレラ・エリプソイデア、クロレラ属の種、クロレラ・プロトセコイデス、及びこれらの組み合わせから選択される、請求項9〜12のいずれか1項記載の組成物又は請求項1〜8のいずれか1項記載の方法。
【請求項１５】
前記組成物がエマルションである、請求項9〜14のいずれか1項記載の組成物。
【手続補正２】
【補正対象書類名】明細書
【補正対象項目名】００１８
【補正方法】変更
【補正の内容】
【００１８】
【図５】図5は、ボルテックスミキサー、回転ミキサー、撹拌子、及びULTRA-TURRAX(登録商標)分散機を含む異なる方法で混合された試料の保持/混合時間に応じた油放出率のプロットである。
【手続補正３】
【補正対象書類名】明細書
【補正対象項目名】００４７
【補正方法】変更
【補正の内容】
【００４７】
油相の水相に対する比は、組成物又はエマルションのPITに影響を与え得る。一般に、PITは、油相の水相に対する比の上昇と共に上昇する。さらに、界面活性剤の濃度が低ければ低いほど、PITの上昇率が高くなる。一部の実施態様では、油相の水相に対する比は、約1:100〜約100:1、約1:50〜約50:1、約1:20〜約20:1、約1:10〜約10:1、約1:8〜約8:1、約1:6〜約6:1、約1:5〜約5:1、約1:4〜約4:1、約1:3〜約3:1、又は約1:2〜約2:1である。
【手続補正４】
【補正対象書類名】明細書
【補正対象項目名】００７３
【補正方法】変更
【補正の内容】
【００７３】
別の例では、精製組成物を、キレート剤の添加により仕上げ精製して該組成物中の金属の量を減少させることができる。特定の実施態様では、精製工程は、キレート剤の添加によって粗生物有機組成物中に存在する金属を除去する工程も含む。任意の適切なキレート剤を使用することができる。適切なキレート剤の実例として、アスコルビン酸、クエン酸、マレイン酸、シュウ酸、コハク酸、ジカルボキシメチルグルタミン酸、エチレンジアミンジコハク酸(EDDS)、及びエチレンジアミンテトラ酢酸(EDTA)などが挙げられる。
【手続補正５】
【補正対象書類名】図面
【補正対象項目名】図５
【補正方法】変更
【補正の内容】
【図５】
2013534144.tif 000001
【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
複数の埋め込み可能医療デバイスと通信するための外部デバイスであって、
コントローラ回路と、
前記コントローラ回路に結合されるか又はその一部を含み、複数の埋め込み可能医療デバイスの各々に対する固有の起動信号及び関連付けられた固有のアドレスを含むメモリと、
前記コントローラ回路に結合され、前記複数の埋め込み可能医療デバイスのうちの選択された１つに対応する前記複数の起動信号のうちの第１のものを前記メモリから送信するように構成された送信機と、
前記選択された埋め込み可能医療デバイスからの確認応答を受信するように構成された受信機と、
を含み、
前記送信機は、前記確認応答の受信の後に前記コントローラ回路からのデータを前記選択された埋め込み可能医療デバイスに送信するように更に構成され、該データには、前記第１の起動信号に関連付けられた前記複数のアドレスのうちの第１のものが付随する、
ことを特徴とする外部デバイス。
【請求項２】
前記第１の起動信号は、連続的に送信されることを特徴とする請求項１に記載の外部デバイス。
【請求項３】
前記第１の起動信号の前記連続送信は、ギャップを含有し、
前記受信機は、前記ギャップのうちの１つギャップ中に前記確認応答を受信するように更に構成される、
ことを特徴とする請求項２に記載の外部デバイス。
【請求項４】
前記送信機及び受信機は、共振タンク回路に結合されることを特徴とする請求項１に記載の外部デバイス。
【請求項５】
前記送信機及び受信機は、スイッチによって前記共振タンク回路に結合され、
前記スイッチは、任意の所定の時点で前記送信機又は前記受信機のいずれかを前記共振タンク回路に結合する、
ことを特徴とする請求項４に記載の外部デバイス。
【請求項６】
前記タンク回路は、コイル及びコンデンサーを含むことを特徴とする請求項４に記載の外部デバイス。
【請求項７】
前記送信機及び受信機は、周波数シフトキーイングプロトコルに従って作動することを特徴とする請求項１に記載の外部デバイス。
【請求項８】
複数の埋め込み可能医療デバイスと通信するための外部デバイスであって、
コントローラ回路と、
前記コントローラ回路に結合されるか又はその一部を含み、前記複数の埋め込み可能医療デバイスの各々に対する固有のアドレスを含むメモリと、
前記コントローラ回路に結合され、前記複数の埋め込み可能医療デバイスのうちの選択された１つに対応する前記複数のアドレスのうちの第１のものを前記メモリから送信するように構成された送信機であって、前記複数のアドレスのうちの第１のものは、前記選択された埋め込み可能医療デバイスを起動するように構成されている、送信機と、
前記選択された埋め込み可能医療デバイスからの起動確認応答を受信するように構成された受信機と、
を含み、
前記送信機は、前記確認応答の受信の後に前記コントローラ回路からのデータを前記選択された埋め込み可能医療デバイスに送信するように更に構成され、該データには、前記第１のアドレスが付随する、
ことを特徴とする外部デバイス。
【請求項９】
前記第１のアドレスは、連続的に送信されることを特徴とする請求項８に記載の外部デバイス。
【請求項１０】
前記第１のアドレスの前記連続送信は、ギャップを含有し、
前記受信機は、前記ギャップのうちの１つのギャップ中に前記確認応答を受信するように更に構成される、
ことを特徴とする請求項９に記載の外部デバイス。
【請求項１１】
前記送信機及び受信機は、共振タンク回路に結合されることを特徴とする請求項８に記載の外部デバイス。
【請求項１２】
前記送信機及び受信機は、スイッチによって前記共振タンク回路に結合され、
前記スイッチは、任意の所定の時点で前記送信機又は前記受信機のうちのいずれかを前記共振タンク回路に結合する、
ことを特徴とする請求項１１に記載の外部デバイス。
【請求項１３】
前記タンク回路は、コイル及びコンデンサーを含むことを特徴とする請求項１１に記載の外部デバイス。
【請求項１４】
前記送信機及び受信機は、周波数シフトキーイングプロトコルに従って作動することを特徴とする請求項８に記載の外部デバイス。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
可搬型ベンチレータと、
急速ガス変換モードを使用して約６〜約２０ｌｐｍの酸素ガス流量を提供する可搬型液体酸素システムと
を備える換気システム。
【請求項２】
前記換気システムは複数の運転モードを有し、前記運転モードの切換え時に流動容積及び酸素ガス圧のうちの少なくとも一方が変化し、前記換気システムは患者の状態に基づき前記複数の運転モードの切り替えを自動的に行う、請求項１に記載の換気システム。
【請求項３】
前記可搬型ベンチレータと前記可搬型液体酸素システムとが、単一の可搬型又は装着型ユニットに一体化される、請求項１に記載の換気システム。
【請求項４】
熱交換器をさらに備え、前記急速ガス変換モードが前記熱交換器のヒータを利用する、請求項１に記載の換気システム。
【請求項５】
熱交換器をさらに備え、前記急速ガス変換モードが、空気を高温シンクから前記熱交換器を通って低温シンクに渡すスターリング機関を利用する、請求項１に記載の換気システム。
【請求項６】
前記高温シンクが周囲空気である、請求項５に記載の換気システム。
【請求項７】
前記低温シンクが液体酸素貯蔵装置の近位にある、請求項５に記載の換気システム。
【請求項８】
液体酸素貯蔵装置をさらに備え、前記急速ガス変換モードが、前記液体酸素貯蔵装置を少なくとも部分的に取り囲む断熱の減少を利用する、請求項５に記載の換気システム。
【請求項９】
酸素ガス貯蔵器をさらに備え、前記酸素ガス貯蔵器に貯蔵された酸素を利用して前記可搬型ベンチレータのピーク流量要求が達成される、請求項１に記載の換気システム。
【請求項１０】
患者インターフェイスをさらに備え、前記患者インターフェイスが、経鼻インターフェ
イス、マスク、気管内チューブ、気管切開チューブ、又は経口チューブである、請求項１に記載の換気システム。
【請求項１１】
必要な酸素の量をタイトレーションするための混合器をさらに備える、請求項１に記載の換気システム。
【請求項１２】
液体酸素貯蔵器と、
熱交換器と、
ファンと、
高温シンクと、
低温シンクと
を備える液体酸素システムにおいて、
前記ファンが周囲空気を前記熱交換器を通って前記高温シンクから前記低温シンクに渡し、それにより急速ガス変換モードが生じる、システム。
【請求項１３】
前記高温シンクが周囲に開放している、請求項１２に記載のシステム。
【請求項１４】
前記低温シンクが、前記液体酸素貯蔵器又は蒸発コイルの近接領域である、請求項１２に記載のシステム。
【請求項１５】
液体酸素貯蔵器と、
酸素ガス貯蔵器と、
液体酸素ガス化変換ユニットであって、前記液体酸素貯蔵器と前記酸素ガス貯蔵器との間に熱交換器をさらに含む液体酸素ガス化変換ユニットと、
前記熱交換器の運転モードを決定するための１つ以上の制御器と
を備える、可搬型液体酸素システム。
【請求項１６】
前記運転モードが自動で切り換わる、請求項１５に記載の可搬型液体酸素システム。
【請求項１７】
前記熱交換器のモードが、約６〜約２０ｌｐｍの平均ガス流を提供する換気療法用の急速ガス変換モードである、請求項１５に記載の可搬型液体酸素システム。
【請求項１８】
前記熱交換器のモードが、約１〜約６ｌｐｍの平均ガス流を提供する酸素療法用の低速ガス変換モードである、請求項１５に記載の可搬型液体酸素システム。
【請求項１９】
前記１つ以上の制御器が１つ以上の呼吸センサから信号を受け取り、及び前記１つ以上の制御器が前記熱交換器によるモードの切換えを生じさせる、請求項１５に記載の可搬型液体酸素システム。
【請求項２０】
前記１つ以上の制御器が１つ以上のパルスオキシメータから信号を受け取り、及び前記１つ以上の制御器が前記熱交換器によるモードの切換えを生じさせる、請求項１５に記載の可搬型液体酸素システム。